(57)【特許請求の範囲】
【請求項１】
複数の方路のＷＤＭ信号を入出力して各波長単位に経路を切り替えるＯＸＣ（光クロスコネクト）と、各波長の光信号の再生処理および波長変換の各機能をクロスコネクトするＯＤＵ（Optical Data Unit)−ＸＣを組み合わせた光ネットワークシステムのノード装置において、
ユーザＩＦ部（ＵＮＩ／ＮＮＩ）の入力側および出力側にそれぞれ第１および第２のマトリックス光スイッチ（以下「光ＳＷ」という）を配置し、
前記ＯＸＣおよび前記ＯＤＵ−ＸＣに接続されるＬ２ＳＷを備え、
ユーザＩＦのアドポートは、前記第１の光ＳＷおよび第１の高速トランスポンダを介して前記ＯＸＣのアドポートに接続し、前記第１の光ＳＷおよび第１の低速トランスポンダを介して前記ＯＤＵ−ＸＣのアドポートに接続し、前記第１の光ＳＷおよび第３の低速トランスポンダを介して前記Ｌ２ＳＷのアドポートに接続し、
ユーザＩＦのドロップポートは、前記第２の光ＳＷおよび第２の高速トランスポンダを介して前記ＯＸＣのドロップポートに接続し、前記第２の光ＳＷおよび第２の低速トランスポンダを介して前記ＯＤＵ−ＸＣのドロップポートに接続し、前記第２の光ＳＷおよび第４の低速トランスポンダを介して前記Ｌ２ＳＷのドロップポートに接続した構成である  ことを特徴とする光ネットワークシステムのノード装置。
【発明の詳細な説明】
【技術分野】
【０００１】
本発明は、ＷＤＭ信号を入出力して各波長単位に経路を切り替える光クロスコネクト（ＯＸＣ）と、各波長の光信号の再生処理や波長変換を行った電気信号の経路を切り替えるＯＤＵ（Optical Data Unit)−ＸＣを組み合わせた光ネットワークシステムのノード装置に関する。
【背景技術】
【０００２】
光ネットワークシステムは、クライアントからの光信号を光ネットワークに挿入し、クライアントへ抽出する機能や、挿入された光信号を光ネットワークへ波長多重し、出力する装置を光クロスコネクト（ＯＸＣ）と呼んでいる。そのＯＸＣは、合分波器、光スイッチ、波長選択スイッチなどとともに構成することが知られている（特許文献１）。
【０００３】
また、ＯＸＣやＷＤＭ信号を用いたＷＤＭ伝送装置には、クライアント信号の経路切替や多重、逆多重を実施する端局装置が接続される。近年、ＷＤＭ伝送装置と端局装置との間のトランスポンダ削減やオペレーションコスト削減のために、図１０に示すようなＯＸＣとＯＤＵ−ＸＣの機能を統合したノード装置が提案されている。
【０００４】
図１０において、ノード装置は、ＷＤＭ伝送路に接続され、波長単位に経路切替を行うＯＸＣと、ＩＦ部３１，３２を介してユーザＩＦのアドドロップポートとＯＸＣのアドドロップポートとの間で所定の信号処理を行う高速トランスポンダ１３，１４と、電気信号の経路切替を行うＯＤＵ−ＸＣと、ＩＦ部３１，３２を介してユーザＩＦのアドドロップポートとＯＤＵ−ＸＣのアドドロップポートとの間で光／電気変換、電気／光変換を行う低速トランスポンダ１５，１６と、ＯＸＣとＯＤＵ−ＸＣとの間で多重／分離を行うトランスポンダ１７，１８とを備える。ＯＤＵ−ＸＣおよび各トランスポンダは、ＯＸＣのユーザＩＦ部に接続される端局装置の機能を有する。
【先行技術文献】
【特許文献】
【０００５】
【特許文献１】特開２００８−２５２６６４号公報
【発明の概要】
【発明が解決しようとする課題】
【０００６】
ユーザが使用するサービスの多様化により、要求信号帯域が様々になっている。サービスに応じてノード装置の接続ポートが異なる場合、運用者の誤接続による信頼性低下や装置スペースの増大が課題として考えられる。
【０００７】
また、ＯＤＵ−ＸＣで処理する信号を電気／光変換、光／電気変換するためのトランスポンダは、レーザやレシーバ部の故障可能性が高く、トランスポンダ故障時に対応を検討する必要がある。また、トランスポンダは波長信号ごとに必要となり、伝送容量が大きくなるほど枚数が増加することがわかっている。このため、トランスポンダ増加による故障件数、消費電力、配置スペースの増大が課題となっていた。
【０００８】
本発明は、信号帯域や種類によらず入出力ＩＦの接続ポートを統一化し、装置スペースの低減および運用者の作業の簡易化を可能にする光ネットワークシステムのノード装置を提供することを目的とする。
【課題を解決するための手段】
【０００９】
本発明は、複数の方路のＷＤＭ信号を入出力して各波長単位に経路を切り替えるＯＸＣと、各波長の光信号の再生処理および波長変換の各機能をクロスコネクトするＯＤＵ−ＸＣを組み合わせた光ネットワークシステムのノード装置において、ユーザＩＦ部の入力側および出力側にそれぞれ第１および第２のマトリックス光ＳＷを配置し、ＯＸＣおよびＯＤＵ−ＸＣに接続されるＬ２ＳＷを備え、ユーザＩＦのアドポートは、第１の光ＳＷおよび第１の高速トランスポンダを介してＯＸＣのアドポートに接続し、第１の光ＳＷおよび第１の低速トランスポンダを介してＯＤＵ−ＸＣのアドポートに接続し、第１の光ＳＷおよび第３の低速トランスポンダを介してＬ２ＳＷのアドポートに接続し、ユーザＩＦのドロップポートは、第２の光ＳＷおよび第２の高速トランスポンダを介してＯＸＣのドロップポートに接続し、第２の光ＳＷおよび第２の低速トランスポンダを介してＯＤＵ−ＸＣのドロップポートに接続し、第２の光ＳＷおよび第４の低速トランスポンダを介してＬ２ＳＷのドロップポートに接続した構成である。
【発明の効果】
【００１７】
本発明は、故障率の高いトランスポンダを冗長構成にし、複数の現用トランスポンダが予備トランスポンダを共有することにより、現用トランスポンダ故障時の切替、また現用トランスポンダ故障時の迅速な冗長構成を実現することができる。
【図面の簡単な説明】
【００１８】
【図１】本発明の光ネットワークシステムのノード装置の実施例１の構成を示す図である。
【図２】本発明の光ネットワークシステムのノード装置の動作例１を示す図である。
【図３】本発明の光ネットワークシステムのノード装置の動作例２を示す図である。
【図４】本発明の光ネットワークシステムのノード装置の動作例３を示す図である。
【図５】本発明の光ネットワークシステムのノード装置の動作例４を示す図である。
【図６】本発明の光ネットワークシステムのノード装置の実施例２の構成を示す図である。
【図７】本発明の光ネットワークシステムのノード装置の動作例５を示す図である。
【図８】本発明の光ネットワークシステムのノード装置の動作例６を示す図である。
【図９】ＯＸＣ機能部の他の構成例を示す図である。
【図１０】従来のノード装置の構成例を示す図である。
【発明を実施するための形態】
【実施例１】
【００１９】
図１は、本発明の光ネットワークシステムのノード装置の実施例１の構成を示す。
図１において、ノード装置は、ＷＤＭ伝送路に接続され、波長単位に経路切替を行うＯＸＣと、ユーザＩＦのアドドロップポートとＯＸＣのアドドロップポートとの間で所定の信号処理を行う高速トランスポンダ１３，１４と、電気信号の経路切替を行うＯＤＵ−ＸＣと、ユーザＩＦのアドドロップポートとＯＤＵ−ＸＣのアドドロップポートとの間で光／電気変換、電気／光変換を行う低速トランスポンダ１５，１６と、ＯＸＣとＯＤＵ−ＸＣとの間で多重／分離を行うトランスポンダ１７，１８とを備える。ＯＤＵ−ＸＣおよび各トランスポンダは、ＯＸＣのユーザＩＦ部に接続される端局装置の機能を有する。
【００２０】
例えば、高速トランスポンダ１３，１４は 100ＧｂＥ（ＯＴＵ４(100Ｇbps)）、低速トランスポンダ１５，１６はＯＤＵ２（10Ｇbps)、ＯＤＵの多重／分離を行うトランスポンダ１７，１８はＯＤＵ２（10Ｇbps)×10（ＯＴＵ４(100Ｇbps)）に対応する。
【００２１】
本発明の特徴は、ユーザＩＦ部（ＵＮＩ／ＮＮＩ）に、ノンブロッキングなマトリックス光スイッチ（光ＳＷ）１１，１２を配置した構成である。ユーザＩＦのアドポートは、光ＳＷ１１および高速トランスポンダ１３を介してＯＸＣのアドポート（from Add）に接続され、光ＳＷ１１および低速トランスポンダ１５を介してＯＤＵ−ＸＣのアドポート（from Add）に接続される。ユーザＩＦのドロップポートは、光ＳＷ１２および高速トランスポンダ１４を介してＯＸＣのドロップポート（to drop ）に接続され、光ＳＷ１２および低速トランスポンダ１６を介してＯＤＵ−ＸＣのドロップポート（to drop ）に接続される。
【００２２】
高速トランスポンダ１３，１４は、例えば３つの現用トランスポンダに対して１つの予備トランスポンダのように、複数の現用トランスポンダで予備トランスポンダを共用する構成である。低速トランスポンダ１５，１６も同様に、複数の現用トランスポンダで予備トランスポンダを共用する構成である。監視制御部１９は、各トランスポンダの動作を監視し、光ＳＷ１１，１２、ＯＸＣ、ＯＤＵ−ＸＣの経路切替を制御する。
【００２３】
これにより、ユーザＩＦから光ＳＷの入力ポートによらずＯＸＣまたはＯＤＵ−ＸＣに接続できるので、例えば運用者がユーザＩＦに接続する際の誤接続を解消することができる。また、ユーザＩＦから光ＳＷの入力ポートによらずＯＸＣまたはＯＤＵ−ＸＣに接続できるので、クライアント信号の伝送容量に応じてＯＤＵ−ＸＣに接続したり、ＯＤＵ−ＸＣを経由せずに直接ＯＸＣに接続することができ、ＯＤＵ−ＸＣの負荷軽減を図ることができる。また、ユーザＩＦから光ＳＷの入力ポートによらず現用トランスポンダおよび予備トランスポンダを選択して接続することができるので、故障率の高い光／電気変換および電気／光変換の機能を有するトランスポンダの冗長構成に柔軟に対応することができる。
【００２４】
なお、ノード装置のＯＸＣ機能部は、図９に示すように構成してもよい。すなわち、カプラ（ＣＰＬ）はＷＤＭ信号を入力して分岐し、複数の波長選択スイッチ（ＷＳＳ）およびＯＸＣの分波器に入力する。分波器は、ＷＤＭ信号を各波長の光信号に分波してＯＸＣに入力する。ＯＸＣは、各波長の光信号からクライアントが受信する光信号をドロップポートに出力し、クライアントが送信する光信号をアドポートから入力し、所定の出方路に対応する合波器に出力し、各波長の光信号を波長多重してＷＳＳに出力する。ＷＳＳは、ＣＰＬから入力するＷＤＭ信号とＯＸＣから入力するＷＤＭ信号を入力してそれぞれ分波し、クライアントが送受信する波長を入れ替え、スルーする波長と合波したＷＤＭ信号を送出する。
【００２５】
図２は、本発明の光ネットワークシステムのノード装置の動作例１を示す。
ここでは、ＯＤＵ−ＸＣの入力側の低速トランスポンダ１５において、監視制御部１９が現用トランスポンダの故障を検出し、光ＳＷ１１およびＯＤＵ−ＸＣを制御し、現用トランスポンダを通過する破線の経路から予備トランスポンダを通過する実線の経路に切り替えた状態を示す。
【００２６】
経路切替の制御手順は次の通りである。
(1) 監視制御部１９が現用トランスポンダの故障検出、ＯＤＵ−ＸＣによる入力断検出。
(2) 監視制御部１９が光ＳＷ１１とＯＤＵ−ＸＣの経路切替によって、予備トランスポンダへの切替を実施。
(3) 監視制御部１９が設定情報に基づき、予備トランスポンダの設定変更。なお、ＯＸＣは変更なし。
【００２７】
これまでのPoint to PointのＷＤＭシステムやリングシステムの冗長構成は、現用、予備の２つのトランスポンダが別経路へ出力する経路冗長と組み合わせる必要があった。しかし、本実施例は装置内で冗長構成を実現することにより、トランスポンダの冗長と経路冗長を組み合わせて高信頼性の実現が可能となる。
【００２８】
図３は、本発明の光ネットワークシステムのノード装置の動作例２を示す。
ここでは、ＯＤＵ−ＸＣの出力側の低速トランスポンダ１６において、監視制御部１９が現用トランスポンダの故障を検出し、光ＳＷ１２およびＯＤＵ−ＸＣを制御し、現用トランスポンダを通過する破線の経路から予備トランスポンダを通過する実線の経路に切り替えた状態を示す。
【００２９】
経路切替の制御手順は次の通りである。
(1) 監視制御部１９が現用トランスポンダの故障検出。
(2) 監視制御部１９が光ＳＷ１２とＯＤＵ−ＸＣの経路切替によって、予備トランスポンダへの切替を実施。
(3) 監視制御部１９が設定情報に基づき、予備トランスポンダの設定変更。なお、ＯＸＣは変更なし。
【００３０】
また、入力と出力が同一トランスポンダに実装されている場合は、図２と図３に示す双方のパターンをオア条件で照合し、故障が箇所を検出する。
【００３１】
図４は、本発明の光ネットワークシステムのノード装置の動作例３を示す。
ここでは、ＯＸＣの入力側の高速トランスポンダ１３において、監視制御部１９が現用トランスポンダの故障を検出し、光ＳＷ１１およびＯＸＣを制御し、現用トランスポンダを通過する破線の経路から予備トランスポンダを通過する実線の経路に切り替えた状態を示す。
【００３２】
経路切替の制御手順は次の通りである。
(1) 監視制御部１９が現用トランスポンダの故障検出。
(2) 監視制御部１９が光ＳＷ１１とＯＸＣの経路切替によって、予備トランスポンダへの切替を実施。
(3) 監視制御部１９が設定情報に基づき、予備トランスポンダの設定変更。
【００３３】
図５は、本発明の光ネットワークシステムのノード装置の動作例４を示す。
ここでは、ＯＸＣの出力側の高速トランスポンダ１４において、監視制御部１９が現用トランスポンダの故障を検出し、光ＳＷ１２およびＯＸＣを制御し、現用トランスポンダを通過する破線の経路から予備トランスポンダを通過する実線の経路に切り替えた状態を示す。
【００３４】
経路切替の制御手順は次の通りである。
(1) 監視制御部１９が現用トランスポンダの故障検出。
(2) 監視制御部１９が光ＳＷ１２とＯＸＣの経路切替によって、予備トランスポンダへの切替を実施。
(3) 監視制御部１９が設定情報に基づき、予備トランスポンダの設定変更。
【００３５】
また、入力と出力が同一トランスポンダに実装されている場合は、図４と図５に示す双方のパターンをオア条件で照合し、故障が箇所を検出する。
【実施例２】
【００３６】
図６は、本発明の光ネットワークシステムのノード装置の実施例２の構成を示す。
本実施例のノード装置は、図１に示す実施例１の構成において、ＯＸＣおよびＯＤＵ−ＸＣに接続されるＬ２ＳＷを備える。ユーザＩＦのアドポートは、光ＳＷ１１および低速トランスポンダ２１を介してＬ２ＳＷのアドポート（from Add）に接続され、ユーザＩＦのドロップポートは、光ＳＷ１２および低速トランスポンダ２２を介してＬ２ＳＷのドロップポート（to drop ）に接続される。ＯＸＣとＬ２ＳＷは、高速トランスポンダ２３，２４を介して接続される。
【００３７】
図７は、本発明の光ネットワークシステムのノード装置の動作例５を示す。
ここでは、Ｌ２ＳＷの入力側の低速トランスポンダ２１において、監視制御部１９が現用トランスポンダの故障を検出し、光ＳＷ１１およびＬ２ＳＷを制御し、現用トランスポンダを通過する破線の経路から予備トランスポンダを通過する実線の経路に切り替えた状態を示す。
【００３８】
経路切替の制御手順は次の通りである。
(1) 監視制御部１９が現用トランスポンダの故障検出、Ｌ２ＳＷの入力断検出。
(2) 監視制御部１９が光ＳＷ１１とＬ２ＳＷの経路切替によって、予備トランスポンダへの切替を実施。
(3) 監視制御部１９が設定情報に基づき、予備トランスポンダの設定変更。
【００３９】
図８は、本発明の光ネットワークシステムのノード装置の動作例６を示す。
ここでは、Ｌ２ＳＷの出力側の低速トランスポンダ２２において、監視制御部１９が現用トランスポンダの故障を検出し、光ＳＷ１２およびＬ２ＳＷを制御し、現用トランスポンダを通過する破線の経路から予備トランスポンダを通過する実線の経路に切り替えた状態を示す。
【００４０】
経路切替の制御手順は次の通りである。
(1) 監視制御部１９が現用トランスポンダの故障検出。
(2) 監視制御部１９が光ＳＷ１２とＬ２ＳＷの経路切替によって、予備トランスポンダへの切替を実施。
(3) 監視制御部１９が設定情報に基づき、予備トランスポンダの設定変更。
【００４１】
また、入力と出力が同一トランスポンダに実装されている場合は、図７と図８に示す双方のパターンをオア条件で照合し、故障が箇所を検出する。
【００４２】
また、Ｌ２ＳＷからＯＸＣへの高速トランスポンダ２３の現用トランスポンダの故障、ＯＸＣからＬ２ＳＷへの高速トラヒック２４の現用トランスポンダの故障に対して、予備トランスポンダへの経路切替を行う場合について同様の制御手順により対応可能である。
【符号の説明】
【００４３】
１１，１２  マトリックス光スイッチ（光ＳＷ）
１３，１４  高速トランスポンダ
１５，１６  低速トランスポンダ
１７，１８  トランスポンダ
１９        監視制御部
２１，２２  低速トランスポンダ
２３，２４  高速トランスポンダ
【図１】
0005558220.tif 000002
【図２】
0005558220.tif 000003
【図３】
0005558220.tif 000004
【図４】
0005558220.tif 000005
【図５】
0005558220.tif 000006
【図６】
0005558220.tif 000007
【図７】
0005558220.tif 000008
【図８】
0005558220.tif 000009
【図９】
0005558220.tif 000010
【図１０】
0005558220.tif 000011